(57)【要約】      （修正有）【課題】  グランド機能を果たし、構造がコンパクトなコネクタを提供する。【解決手段】  コネクタ５１は、複数のコンタクトとグランドプレートＧＰとこれらを保持するハウジングとを有する。コンタクトは、片持ち梁状のシグナルコンタクトＳと片持ち梁状のグランドコンタクトＧである。シグナルコンタクトは、一対でペアコンタクトとなり、グランドコンタクトは、一対の接触部を有する。グランドプレートは、片持ち梁状の複数のグランドプレート用コンタクトＧＰ１を有する。コンタクトのピッチ方向において、グランドコンタクト間内にぺアコンタクトが配設される。グランドプレート用コンタクトとシグナルコンタクトとは、対向配置される。グランドプレート用コンタクトとシグナルコンタクトとにより、相手側コネクタ６１の嵌合部を挟むように接続し、かつグランドコンタクトの一対の接触部により、相手側コネクタの嵌合部を挟むように接続する。【選択図】  図１
2007128832.tif 000002
【特許請求の範囲】
【請求項１】
コネクタは、複数のコンタクトと、グランドプレートと、前記コンタクト及び前記グランドプレートを保持するハウジングとを有し、
前記コンタクトは、片持ち梁状の接触部を有するシグナルコンタクトと片持ち梁状の接触部を有するグランドコンタクトであり、
前記シグナルコンタクトは、一対でペアコンタクトとなり、
前記グランドコンタクトは、前記接触部を一対有し、
前記グランドプレートは、片持ち梁状の接触部を有する複数のグランドプレート用コンタクトを有し、
前記コンタクトのピッチ方向において、前記グランドコンタクト間内に前記ペアコンタクトが配設され、
前記グランドプレート用コンタクトと前記シグナルコンタクトとは、対向配置され、
相手側コネクタと接続する際、前記グランドプレート用コンタクトと前記シグナルコンタクトとにより、前記相手側コネクタの嵌合部を挟むように接続し、かつ、前記グランドコンタクトの一対の接触部により、前記相手側コネクタの嵌合部を挟むように接続することを特徴とするコネクタ。
【発明の詳細な説明】
【技術分野】
【０００１】
本発明は、高速伝送に対応したコネクタに関し、詳しくは、プリント配線基板に接続するためのソケットコネクタと、フレキシブルプリント配線基板（ＦＰＣ）又はフレキシブルフラットケーブル（ＦＦＣ）を前記ソケットコネクタに接続するためのプラグコネクタと、これらのコネクタを備えた高速伝送用コネクタに関する。
【背景技術】
【０００２】
以下に、従来のプラグコネクタとソケットコネクタについて説明する（例えば、特許文献１参照）。
【０００３】
図１０はプラグコネクタを示す斜視図である。図１１及び図１２は、図１０のプラグコネクタの１Ａ−１Ａ線及び１Ｂ−１Ｂ線における部分断面図である。
【０００４】
図１０乃至図１２を参照すると、プラグコネクタ１０は、図示しない基板側コネクタであるソケットコネクタと嵌合方向である第１の方向に沿って嵌合するためのソケットコネクタ嵌合部５、及びＦＰＣ又はＦＦＣと同じく第１の方向に沿って嵌合するためのＦＰＣ嵌合部４の双方をこの第１の方向である嵌合方向両端に持ち合わせている。ここで、以後説明の便宜上、第１の方向において、プラグコネクタ１０のＦＰＣ嵌合部４側を前側、ソケットコネクタ嵌合部５側を後側と呼ぶ。
【０００５】
プラグコネクタ１０は、絶縁材料からなるインシュレータ１と、インシュレータ１の周囲を覆うシェル２と、インシュレータ１中に、第１の方向とは直交する第２の方向である幅方向に並んで差し込まれる複数のプラグコンタクト（以下、第１のプラグコンタクトと呼ぶ）３と、インシュレータ１中に第１のプラグコンタクト３とは接点を持たないように差し込まれるグランドプレート７とを備えている。この第１のプラグコンタクト３は板ばねで形成されているので、接続の際のインピーダンス変化が小さい。
【０００６】
また、インシュレータ１は、第１及び第２の方向に直交する第３の方向、即ち、厚み方向に上板１ｅ，中板１ｆ，下板１ｇとで互い違いに端部を重ね合わせた断面が略横Ｙ字形状を有する。上板１ｅの下端には、第１の方向に延びる突条が設けられて、ＦＰＣの一端側のコンタクトの収容溝１ｄをその間に形成している。
【０００７】
シェル２は後端に開口を有する導電材料からなる箱型で、前端は、後方に折り込まれた平板からなるスライダー部２ｂを備えた開口２ａを形成するとともに、開口２ａにインシュレータ１の前端部が突出して、スライダー部２ｂとインシュレータ１の上板１ｅの前端部とによりＦＰＣを挿入するためのＦＰＣ嵌合部４が形成されている。
【０００８】
また、スライダー部２ｂの両側には、図示しないＦＰＣの挿入を案内するとともに、ＦＰＣの抜け止めを防止する抜止手段としての抜け止め片２ｃが設けられている。また、シェル２の上面両側に切り込みによって形成されたバネ片２ｄが設けられている。
【０００９】
図１１に最も良く示されるように、夫々の第１のプラグコンタクト３は、インピーダンス変化の少い１枚の単純な板バネ構造を備え、インシュレータ１に圧入支持される圧入部３ｃと、圧入部３ｃから前方に延在し先端がＵ字状に屈曲するとともに、ＦＰＣ嵌合部４に突出したＦＰＣ接触部３ａと、圧入部３ｃからインシュレータ１の面に沿って後方に延在し、インシュレータ１の後端の斜面に沿って下方に屈折するコンタクト接触部３ｂとを備えている。
【００１０】
複数の第１のプラグコンタクト３は、幅方向に並設して設けられているが、特に、作動信号を意識し、第１のプラグコンタクト３の２本ずつ１ペアとし、この例では、合計７ペアの配列をとっている。
【００１１】
コンタクト接触部３ｂは、インシュレータ１の後端の中板１ｆの上面側に設けられた溝１ｃ内に挿入されている。ソケットコネクタと嵌合するソケットコネクタ嵌合部５において、第１のプラグコンタクト３の裏面には、インシュレータ１を挟んでグランドプレート７が一面に位置している。
【００１２】
このインシュレータ１を挟み込むように設けられたコンタクト接触部３ｂ及びグランドプレート７が一枚の板状に形成されて、プラグコネクタ１０の後端に、ピン端子のないノンピン構造のソケットコネクタ嵌合部５を構成している。
【００１３】
図１２に最も良く示されるように、グラントプレート７は、前側は、スライダー部２ｂとインシュレータ１の間に挟み込まれて配置されているとともに、後側は、インシュレータ１の後端の下面に露出して、後方にインシュレータ１の中板１ｆの下方に突出した突出部１ａまで延在している。また、グランドプレート７は、切り込みによって形成された切り込み片を板面から起立させ前方に折り曲げ、ＦＰＣ接触部３ａ同様に先端をＵ字状に屈曲させるとともに、ＦＰＣ嵌合部４に突出させたコンタクト状のバネ接触部７ａ（以下、第２のプラグコンタクトと呼ぶ）を有している。このグランドプレート７の第２のプラグコンタクト７ａは、ＦＰＣの表側パターンの内のグラウンドパターンとの接触の為に設けられ、プラグコンタクト３の各ペアのＦＰＣ接触部３ａ間に配置されている。
【００１４】
図１３は図１０〜図１２で示したグランドプレートのみを示す斜視図である。
【００１５】
図１３に示すように、ＦＰＣの表側パターンの内のグランドパターンとの嵌合接触の為のバネ接触部（第２のプラグコンタクト）７ａが数か所に位置している。これは、前述したように、第１のプラグコンタクト３のペア間に１か所ずつあり、この第２のプラグコンタクト７ａからなるバネ接触部は、嵌合するＦＰＣをそれ自体に挟みこめる形状となっており、ＦＰＣの表裏両面のグランドパターンと接触して、ＦＰＣのグランド信号を確実に伝達することができる。また、図示しないソケットコネクタと嵌合するソケットコネクタ嵌合部側７ｃは、一枚の板状になっているので、グランド信号を広い面積にして伝送できる構成となっている。
【００１６】
図１４乃至図１６は図１０乃至図１３に示したプラグコネクタのスライド部を開放した状態（以下、単に開放状態と呼ぶ）を示す図であり、図１４は斜視図、図１５は図１１と同様な位置における断面図、図１６は図１２と同様な位置における断面図である。図１４乃至図１６に示すように、プラグコネクタの開放状態において、第１のプラグコンタクト３及びグランドプレート７を装着したインシュレータ１に対して、シェル２を前方にスライド移動することによって、プラグコネクタ１０は、開放状態となる。
【００１７】
図１７乃至図１９は、図１０乃至図１６に示したプラグコネクタのＦＰＣと嵌合状態を示す図であり、図１７は斜視図、図１８は図１１と同様な位置における部分断面図、図１９は図１２と同様な位置における部分断面図である。
【００１８】
図１７乃至図１９を参照すると、図１５に示す開放状態において、ＦＰＣ２０を差し込み、次にシェル２をインシュレータ１側に押し込み、シェル２の底部２ｅの先端がインシュレータ１の下側の突出段部１ｂに当接することによって、シェル２の移動が阻止され、嵌合が完成している。
【００１９】
この時に、図１８にて最も良く示されるように、ＦＰＣ２０の表面パターン２１は、第１のプラグコンタクト３のＦＰＣ接触部３ａに接触し、一方、ＦＰＣ２０の裏面パターン２２は、シェル２のスライダー部２ｂに当接し、これを介してグランドプレート７に電気的に接続している。
【００２０】
また、図１９に最も良く示されるように、シェル２のスライダー部２ｂが、ＦＰＣ２０の下方に入り込むことによって、ＦＰＣ２０を上方に押し上げ、グランドプレート７のバネ接触部７ａと、ＦＰＣ２０の表面パターン２１とが接触する。また、前述と同様に、ＦＰＣ２０の裏面パターン２２は、シェル２のスライダー部２ｂに当接し、これを介してグランドプレート７に電気的に接続している。シェル２は、ＦＰＣとの嵌合の際には、スライダー部２ｂと、ＦＰＣ２０の裏側のグランドパターンと電気的に接触することで、ＦＰＣ２０のグランド信号を確実に伝達することができる。
【００２１】
以上、プラグコネクタは、ＦＰＣ２０と嵌合するＦＰＣ嵌合部のみについて説明したが、このＦＰＣ嵌合部は、ＦＦＣについても同様に用いることができることは明らかである。
【００２２】
図２０はソケットコネクタの外観図である。図２１は図２０のソケットコネクタの一部切り欠き部分断面図である。図２０及び図２１を参照すると、ソケットコネクタ３０は、前端に先に説明したプラグコネクタに嵌合方向である第１の方向に嵌合するためのプラグコネクタ嵌合部３２を備え、後端に基板に半田付けするための基板接続部３１を備えている。ここで、以後説明の便宜上、第１の方向において、ソケットコネクタ３０のプラグコネクタ嵌合部３２側を前側、基板に接続するための基板接続部３１側を後側と呼ぶ。
【００２３】
ソケットコネクタ３０は、断面横Ｌ字型のインシュレータ３３と、インシュレータ３３に植設されたシグナルソケットコンタクト（以下、第１のソケットコンタクトと呼ぶ）３５と、グランドプレート３６と、インシュレータ周囲に設けられ、ソケットコネクタの外郭をなすシェル３４とを備えている。
【００２４】
インシュレータ３３は、天井板３３ａと、ソケットコネクタ３０の後端側に天井板３３ａと一体に設けられた底板３３ｂとを備えている。天井板３３ａと底板３３ｂとの間に、シグナルコンタクト３５が植設されている。
【００２５】
シェル３４は、箱型で、前端に開口３４ａを備え、インシュレータ３３を覆うように設けられた上板３４ｅと、第１の方向に直交する第２の方向である幅方向の両端にＵ字をなすように突出した基板用固定部３４ｄと、底板３４ｂとを備えている。基板用固定部３４ｄは、ＰＣＢに対する半田固定部をなし、シェル３４は、電気的にはグランド機能を有する。
【００２６】
シェル３４において、底板３４ｂは、前端部が折り返されて２重になった折り返し部３４ｉと、後に詳しく説明するグランドコンタクト３６の接触部３６ｆに対応して切り欠かれた切り欠き部３４ｇとを備えている。折り返し部３４ｉは、ソケットコネクタの相手側コネクタであるプラグコネクタ嵌合部を誘い且つこの部分での強度が高められている。シェル３４の切り欠き部３４ｇは、後に述べるグランドプレート３６の接触部３５ｆ先端の保護をしている。
【００２７】
図２１に最も良く示されるように、シグナルコンタクトである第１のソケットコンタクト３５は、バネ弾性を備え、また、インピーダンスマッチングに対応した細長い板形状を有する。第１のソケットコンタクト３５は、一端がプラグコネクタ嵌合部に収容され相手側コンタクトに接触するためにくの字状に屈曲して形成された接触部３５ｃと、接触部３５ｃからコネクタの後方に延在するとともにインシュレータ３３に固定されて支持される支持部３５ｂと、支持部３５ｂからソケットコネクタ３０の後方外部に第１の方向に沿って延在して折曲して、第１及び第２の方向に直交する第３の方向である下方に延び、さらに水平方向である第１の方向に折曲って水平に延在してプリント配線基板に半田付するための半田付端子部３５ａを形成している。この様に、シグナルコンタクト３５は、板状にシンプルな構造を有し、したがって、容易にインピーダンスマッチングさせる事ができる。
【００２８】
図２２は図２０及び図２１のグランドプレート３６を示す斜視図である。図２２を参照すると、グランドプレート３６は、導電材料の一枚板を打ち抜き、プレス加工した物からなり、ソケットコネクタ３０の幅方向である第２の方向に延在する連結部３６ｃと、連結部３６ｃから折れ曲がって後方に延在する半田付端子部３６ａと、半田付端子部３６ａと同じ位置から上方に延在して前方に屈曲するインシュレータに固定するための固定部３６ｂと、これら半田付端子部３６ａ及び固定部３６ｂの対間に配置されたバネ弾性を備えたコンタクト基部３６ｅと、コンタクト基部３６ｅから前方に並んで延在する一対の接触部（第２のソケットコンタクト）３６ｆとを有している。
【００２９】
図２０及び図２１を再び参照して、シグナルコンタクトである第１のソケットコンタクト３５が一対ずつ並んで具体的には７対がインシュレータ３３に支持されている。即ち、このソケットコネクタ３０の第１のソケットコンタクト３５は、７ペアの差動信号伝送用に用いられる。
【００３０】
ソケットコネクタ３０のプラグコネクタ嵌合部３２内において、第１のソケットコンタクト３５の接触部３５ｃは、天井面側に設けられており、これに第３の方向に対向して底部側には、グランドプレート３６の接触部からなる第２のソケットコンタクト３６ｆが設けられている。第２のソケットコンタクト３６ｆは、シェル３４の切欠部３４ｇ内に収容されている。これらの第１のソケットコンタクト３５の接触部３５ｃ及び第２のソケットコンタクト３６ｆは、プラグコネクタが嵌合された時に、プラグコネクタの嵌合部を上下から挟み込むように設けられている。
【００３１】
また、ソケットコネクタ３０の後方に突出したシグナル用の第１のソケットコンタクト３５の半田付端子部３５ａ，３５ａを第２の方向（ソケットコネクタ３０の幅方向）に挟み込む位置となるように、グランドプレート３６の半田付端子部３６ａが配置されている。尚、グランドプレート３６から半田付端子部３６ａをできるだけ多く出すことで、グランドコンディションを良くすることができる。
【００３２】
図２３は図２２のグランドプレートの変形例を示す斜視図である。図２３を参照すると、グランドプレート３６´は連結部３６ｃ´の両端に固定部３６ｂ´が形成され、連結部３６ｃ´の上部から半田付端子部３６ａ´が延在して形成されており、また、連結部３６ｃ´の下部からは、図２５に示したものと同様に、接触部基部３６ｅ´及びそれに連続する接触部３６ｆ´，３６ｆ´が形成されている。
【００３３】
図２４は図２０及び図２１に示されたプラグコネクタの断面の一例を示す図で、図１０乃至図１９で説明したものと同様の構成を有している。図２４に示すように、プラグコネクタ１０は、一端側にＦＰＣ嵌合部４を備え、他端部にソケットコネクタ嵌合部５とを備えている。尚、符号２０は、ＦＰＣ嵌合部４に接続されロックされたＦＰＣである。
【００３４】
次に、図２５を用いて、ソケットコネクタとプラグコネクタとの嵌合について説明する。
【００３５】
図２５は、図２０のソケットコネクタ３０と図２４のプラグコネクタ１０とを嵌合させた状態を示す部分断面図である。
【００３６】
図２５に示すように、プラグコネクタ嵌合部３２内に第３の方向にソケットコネクタ３０のシグナルコンタクトであるペアの第１のソケットコンタクト３５の接触部３５ｂとソケットコネクタ３０のグランドプレート３６の接触部である第２のソケットコンタクト３６ｆとが対向配置されている。
【００３７】
プラグコネクタ１０のソケットコネクタ嵌合部５とソケットコネクタ３０のプラグコネクタ嵌合部３２とが嵌合する事で、プラグコネクタ嵌合部３２内に第３の方向に対向配置された一対の第１のソケットコンタクト３５の接触部３５ｂと第２の接触部３６ｆ間に挟み込まれる。
【００３８】
この時に、プラグコネクタ１０のシグナルコンタクトである第１のプラグコンタクト３の接触部３ｂとソケットコネクタ３０のシグナルコンタクトである第１のソケットコンタクトの接触部３５ｃとが接触する。
【００３９】
一方、プラグコネクタ１０のグランドプレート７のグランド接触部７ｆとソケットコネクタ３０のグランドプレート３６の接触部３６ｆが接触する。また、ソケットコネクタ３０のグランドプレート３６の接触部基部が裏面でシェル３４の底部３４ｆに接触する。
【００４０】
以上説明したように、ソケットコネクタ３０においては、シグナルコンタクト３５の接触部３５ｃとグランドプレート３６の接触部３６ｆがプラグコネクタ嵌合部３２の上下に位置するノンピンタイプのソケットコネクタなので、プラグコネクタ１０の嵌合離脱の際の座屈や変形に強い。
【００４１】
また、グランドプレート３６が、グランド嵌合接触部として、多数の接触部を有し、また、多数の半田付端子部３６ａを１個の部品としての１枚のプレートに形成されている為、グランドコンディションが良く、グランドが正確に、且つ完全なものになる。また、そのグランドプレート３６の接触部３６ｆは、シェル３４に多点で接触するので、更に、グランドコンディションを良好に保つ事ができる。
【００４２】
また、ソケットコネクタ３０のシグナルコンタクト３５は、板状のシンプルな形状なので、インピーダンスマッチングが容易である。また、シェル３４のプラグコネクタ１０との嵌合端側の底部には、折り返し部３４ｉが形成されているので、相手側コネクタが誘い易く、また、底部には、切欠部３４ｇが設けられているので、グランドプレート３６に接触部先端が座屈その他の変形を防止することができる。また、シェル３４に、折り返し部３４ｉのあることで、強度アップにもなり、この部分のインシュレータ３３の存在が必要なく、製品の高さを低減することができる。
【００４３】
【特許文献１】特許第３４５１３９３号公報
【発明の開示】
【発明が解決しようとする課題】
【００４４】
前記従来のコネクタは、グランド機能を有するが、コネクタが大型化せざるを得ない。
【００４５】
また、ペアのシグナルコンタクト側に、グランドコンタクトが配置されていない。更に、相手側コネクタの嵌合部の他面側（シグナルコンタクトと接続する側とは反対側）のグランドが、ペアのシグナルコンタクトの近傍に配置されていない。
【００４６】
そこで、本発明は、前記従来のコネクタの欠点を改良して、所要のグランド機能を果たし、しかも、構造がコンパクトなコネクタを提供しようとするものである。
【課題を解決するための手段】
【００４７】
本発明は、前記課題を解決するため、次の手段を採用する。
【００４８】
コネクタは、複数のコンタクトと、グランドプレートと、前記コンタクト及び前記グランドプレートを保持するハウジングとを有し、前記コンタクトは、片持ち梁状の接触部を有するシグナルコンタクトと片持ち梁状の接触部を有するグランドコンタクトであり、前記シグナルコンタクトは、一対でペアコンタクトとなり、前記グランドコンタクトは、前記接触部を一対有し、前記グランドプレートは、片持ち梁状の接触部を有する複数のグランドプレート用コンタクトを有し、前記コンタクトのピッチ方向において、前記グランドコンタクト間内に前記ペアコンタクトが配設され、前記グランドプレート用コンタクトと前記シグナルコンタクトとは、対向配置され、相手側コネクタと接続する際、前記グランドプレート用コンタクトと前記シグナルコンタクトとにより、前記相手側コネクタの嵌合部を挟むように接続し、かつ、前記グランドコンタクトの一対の接触部により、前記相手側コネクタの嵌合部を挟むように接続するコネクタ。
【発明の効果】
【００４９】
明細書の説明から明らかなように、本発明は、次の効果を奏する。
【００５０】
１．所要のグランド機能を果たし、しかも、構造がコンパクトなコネクタを提供することができる。
【００５１】
２．従来、相手側コネクタのシェルに接続するグランドコンタクトは、グランドプレートを経て基板に接続される。本発明では、相手側コネクタのシェルに接続するグランドコンタクトと相手側コネクタのグランドコンタクトに接続するグランドコンタクトとは、一体化されて直近の基板に接続される。この構造により、グランドを流れる帰還電流がスムーズに流れ、電位の安定性が向上する。
【発明を実施するための最良の形態】
【００５２】
本発明の一実施例について説明する。
【実施例１】
【００５３】
本発明の実施例１のソケットコネクタとプラグコネクタを備えた高速伝送コネクタについて図１〜８を参照して説明する。
【００５４】
図１は、ソケットコネクタ５１とプラグコネクタ６１との模式的構造を示す斜視図である。
【００５５】
ソケットコネクタ５１は、複数本のシグナルコンタクトＳ０（図示せず），Ｓ１，Ｓ２，Ｓ３，Ｓ４，Ｓ５……と、複数本のグランドコンタクトＧ０（図示せず），Ｇ１，Ｇ２，Ｇ３（図示せず）……と、グランドプレートＧＰとを有する。各シグナルコンタクトと各グランドコンタクトの各々の接触部は、片持梁状に構成される。
【００５６】
Ｇ０，Ｓ０，Ｓ１，Ｇ１，Ｓ２，Ｓ３，Ｇ２，Ｓ４，Ｓ５，Ｇ３……の順序で第１列に配置される。Ｓ０，Ｓ１，Ｓ２，Ｓ３，Ｓ４，Ｓ５，……は、それぞれ基板接続用端子ＢＳＴと接続される。Ｓ０とＳ１、Ｓ２とＳ３、Ｓ４とＳ５、……は、それぞれ一対のペアとなって、差動信号の伝送等に用いられる。
【００５７】
Ｇ０，Ｇ１，Ｇ２，Ｇ３とそれぞれコ字状に対向するように連結されている複数本のグランドコンタクトＧ０´（図示せず），Ｇ１´，Ｇ２´，Ｇ３´（図示せず）……は、第２列に配置され、基板接続用端子ＢＧＴと接続される。
【００５８】
グランドプレートＧＰに片持梁状に設けられているグランドプレート用コンタクトＧＰ１，ＧＰ２，ＧＰ３……は、それぞれＳ１，Ｓ３，Ｓ５……と対向するように第２列に配置される。
【００５９】
第１列と第２列とは、高さが異なる。
【００６０】
プラグコネクタ６１は、複数本のシグナルコンタクト６２と、複数本のグランドコンタクト６３と、各シグナルコンタクト６２及び各グランドコンタクト６３を保持するハウジング６４と、ハウジング６４を被覆するシェル６５とを有する。
【００６１】
Ｇ０，Ｓ０，Ｓ１，Ｇ１，Ｓ２，Ｓ３，Ｇ２，Ｓ４，Ｓ５，Ｇ３……の各先端の接触部は、プラグコネクタ６１のそれぞれ対応する各シグナルコンタクト６２、各グランドコンタクト６３と接続することができる。
【００６２】
Ｇ０´，Ｇ１´，Ｇ２´，Ｇ３´……ＧＰ１，ＧＰ２，ＧＰ３……の各先端の接触部は、前記シェル６５と接続することができる。
【００６３】
ソケットコネクタ５１がプラグコネクタ６１と接続する際、グランドプレート用コンタクトＧＰ１とシグナルコンタクトＳとにより、プラグコネクタ６１の嵌合部６６を挟むように接続し、かつ、グランドコンタクトＧの一対の接触部Ｇａ，Ｇａ´（図２参照）により、プラグコネクタ６１の嵌合部６６を挟むように接続する。
【００６４】
図２は、ソケットコネクタ５１の後面側から見た斜視図である。ただし、一部を破断して示す。
【００６５】
グランドコンタクトＧとグランドプレートＧＰとは、グランドプレートＧＰ  の連結部５４ｃ、又は溝５４ｇの位置で接続するようにしてもよい。グランドコンタクトＧは、基板接続用端子ＢＧＴに接続するようにしてもよい。
【００６６】
図３（Ａ）は、ソケットコネクタ５１の斜視図であり、後面側から見たシグナルコンタクトでの断面斜視図である。ソケットコネクタ５１は、複数のシグナルコンタクトＳと、複数のグランドコンタクトＧと、各シグナルコンタクトＳ及び各グランドコンタクトＧを保持するハウジング５２と、各グランドプレート用コンタクトＧＰ１を有するグランドプレートＧＰと、ハウジング５２を被覆するシェル５３とを有する。
【００６７】
図３（Ｂ）は、前面側から見たプラグコネクタ６１の斜視図である。プラグコネクタ６１の前面には、嵌合部６６が設けられている。
【００６８】
嵌合部６６を挟む一方側には、シグナルコンタクトＳ及びグランドコンタクトＧと接続するコンタクトが配置され、他方側には、グランドコンタクトＧ及び各グランドプレート用コンタクトＧＰ１と接続するコンタクト（図示せず）が配置される。
【００６９】
図４は、ソケットコネクタ５１のグランドプレートＧＰの後面側から見た斜視図である。
【００７０】
グランドプレートＧＰは、接点部５４ｂを有する多数のコンタクト基部５４ａと、各コンタクト基部５４ａが下側に一定のピッチで前側へ折曲形成されている連結部５４ｃと、連結部５４ｃの両側付近の上側に後方へ折曲形成されている半田付端子部５４ｄと、連結部５４ｃの両側付近の上側に前側へ折曲形成されている固定部５４ｅと、連結部５４ｃの両端に前方側へ折曲形成されている固定部５４ｆとから構成される。連結部５４ｃの上側の数箇所に溝５４ｇが設けられている。各溝５４ｇには、グランドコンタクトＧが、はめ込まれるか、又は、接触しないように挿入されて通過する。連結部５４ｃの下側の数箇所には、それぞれ各溝５２ｇに対応して補強用の突出部５４ｈが設けられている。
【００７１】
図５は、ソケットコネクタ５１のグランドプレートＧＰを後面側から見た斜視図である。
【００７２】
図６は、ソケットコネクタ５１のグランドプレートＧＰを前面側から見た斜視図である。
【００７３】
図７（Ａ），（Ｂ）は、それぞれソケットコネクタ５１のグランドプレートＧＰを前面側、後面側から見た斜視図である。
【００７４】
図８は、ソケットコネクタ５１の後面側から見た斜視図である。ただし、グランドコンタクトＧは、除かれている。
【００７５】
本実施例では、グランドプレートＧＰは一枚の板から形成した場合で説明したが、複数枚に分割してもよい。また、複数枚同士のグランドプレートＧＰ間は、バネ片等で接続するようにしてもよい。
【実施例２】
【００７６】
本発明の実施例２のソケットコネクタのグランドプレートについて図９を参照して説明する。
【００７７】
図９（Ａ），（Ｂ）は、それぞれグランドプレートＧＰを前面側、後面側から見た斜視図である。グランドプレートＧＰの複数箇所には、ペアのグランドプレート用コンタクトＧＰ１が設けられている。
【００７８】
本実施例では、グランドプレートＧＰの連結部５４ｃとコンタクト基部５４ａとは直角状（直角に曲げ断面Ｌ字）に形成されているが、曲げ加工を行わずに直線状に配置されるように形成してもよい。
【図面の簡単な説明】
【００７９】
【図１】本発明の実施例１のソケットコネクタとプラグコネクタを備えた高速伝送コネクタの模式的構造を示す斜視図である。
【図２】同ソケットコネクタを後面側から見た斜視図である。ただし、一部を破断して示す。
【図３】（Ａ）は同ソケットコネクタの斜視図であり、後面側から見たシグナルコンタクトでの断面図であり、（Ｂ）は前面側から見た同プラグコネクタの斜視図である。
【図４】同ソケットコネクタのグランドプレートの後面側から見た斜視図である。
【図５】同ソケットコネクタの同グランドプレートを後面側から見た斜視図である。
【図６】同ソケットコネクタの同グランドプレートを前面側から見た斜視図である。
【図７】同ソケットコネクタの同グランドプレートの斜視図であり、（Ａ）は前面側から見た図、（Ｂ）は後面側から見た図を、それぞれ示す。
【図８】同ソケットコネクタの後面側から見た斜視図である。ただし、同グランドコンタクトは、除かれている。
【図９】本発明の実施例２のソケットコネクタのグランドプレートの斜視図であり、（Ａ）は前面側から見た図、（Ｂ）は後面側から見た図を、それぞれ示す。
【図１０】従来のプラグコネクタを示す斜視図である。
【図１１】図１０のプラグコネクタの１Ａ−１Ａ線における部分断面斜視図である。
【図１２】図１０のプラグコネクタの１Ｂ−１Ｂ線における部分断面斜視図である。
【図１３】図１０〜図１２で示したグランドプレートのみを示す斜視図である。
【図１４】図１０乃至図１３に示したプラグコネクタのスライド部を開放した状態を示す斜視図である。
【図１５】図１４のプラグコネクタの図１１と同様な位置における部分断面斜視図である。
【図１６】図１４のプラグコネクタの図１２と同様な位置における部分断面斜視図である。
【図１７】図１０乃至図１６に示したプラグコネクタのＦＰＣと嵌合状態を示す斜視図である。
【図１８】図１７に示した状態のプラグコネクタの図１１と同様な位置における部分断面斜視図である。
【図１９】図１７に示した状態のプラグコネクタの図１２と同様な位置における部分断面斜視図である。
【図２０】従来のソケットコネクタの外観図である。
【図２１】図２０のソケットコネクタの一部切り欠き部分断面図である。
【図２２】図２０及び図２１のグランドプレートを示す斜視図である。
【図２３】図２２のグランドプレートの変形例を示す斜視図である。
【図２４】図２０及び図２１に示された相手側プラグコネクタの断面の一例を示す図である。
【図２５】図２０のソケットコネクタと図２４のプラグコネクタとを嵌合させた状態を示す部分断面図である。
【符号の説明】
【００８０】
５１  ソケットコネクタ
５２  ハウジング
５３  シェル
５４ａ  コンタクト基部
５４ｂ  接点部
５４ｃ  連結部
５４ｄ  半田付端子部
５４ｅ  固定部
５４ｆ  固定部
５４ｇ  溝
５４ｈ  突出部
６１  プラグコネクタ
６２  シグナルコンタクト
６３  グランドコンタクト
６４  ハウジング
６５  シェル
６６  嵌合部
ＢＧＴ  基板接続用端子
ＢＳＴ  基板接続用端子
Ｇ  グランドコンタクト
Ｇａ，Ｇａ´  接触部
ＧＰ  グランドプレート
ＧＰ１  グランドプレート用コンタクト
Ｓ  シグナルコンタクト
【図１】
2007128832.tif 000003
【図２】
2007128832.tif 000004
【図３】
2007128832.tif 000005
【図４】
2007128832.tif 000006
【図５】
2007128832.tif 000007
【図６】
2007128832.tif 000008
【図７】
2007128832.tif 000009
【図８】
2007128832.tif 000010
【図９】
2007128832.tif 000011
【図１０】
2007128832.tif 000012
【図１１】
2007128832.tif 000013
【図１２】
2007128832.tif 000014
【図１３】
2007128832.tif 000015
【図１４】
2007128832.tif 000016
【図１５】
2007128832.tif 000017
【図１６】
2007128832.tif 000018
【図１７】
2007128832.tif 000019
【図１８】
2007128832.tif 000020
【図１９】
2007128832.tif 000021
【図２０】
2007128832.tif 000022
【図２１】
2007128832.tif 000023
【図２２】
2007128832.tif 000024
【図２３】
2007128832.tif 000025
【図２４】
2007128832.tif 000026
【図２５】
2007128832.tif 000027
【手続補正書】
【提出日】平成18年6月23日(2006.6.23)
【手続補正１】
【補正対象書類名】図面
【補正対象項目名】全図
【補正方法】変更
【補正の内容】
【図１】
2007128832.tif 000028
【図２】
2007128832.tif 000029
【図３】
2007128832.tif 000030
【図４】
2007128832.tif 000031
【図５】
2007128832.tif 000032
【図６】
2007128832.tif 000033
【図７】
2007128832.tif 000034
【図８】
2007128832.tif 000035
【図９】
2007128832.tif 000036
【図１０】
2007128832.tif 000037
【図１１】
2007128832.tif 000038
【図１２】
2007128832.tif 000039
【図１３】
2007128832.tif 000040
【図１４】
2007128832.tif 000041
【図１５】
2007128832.tif 000042
【図１６】
2007128832.tif 000043
【図１７】
2007128832.tif 000044
【図１８】
2007128832.tif 000045
【図１９】
2007128832.tif 000046
【図２０】
2007128832.tif 000047
【図２１】
2007128832.tif 000048
【図２２】
2007128832.tif 000049
【図２３】
2007128832.tif 000050
【図２４】
2007128832.tif 000051
【図２５】
2007128832.tif 000052